(57)【要約】【課題】収納棚Ｆを広いスペースを要することなく組み立てて完成できるようにし、組み立て後の起立作業を不要化するとともに、収納棚Ｆを必要に応じて他の構造に容易に変更できるようにして、その変更の容易化を図る。【解決手段】１対の自立用ボックス１，１を設け、その各自立用ボックス１の左右一側部に断面Ｌ字状のＬ型側板１１を、また自立用ボックス１，１間に中仕切り板２１，２１をそれぞれ各々の下端部で取り外し可能に固定して自立させ、それら側板１１，１１や中仕切り板２１，２１に棚板３１，３１を架け渡して固定する。【選択図】図１
2018051266.tif 000002
【特許請求の範囲】
【請求項１】
上下に間隔をあけて対向する矩形状板材が、各々の対角線方向に対向する両角部において断面Ｌ字状の側壁により一体的に連結された１対の自立用ボックスと、
板状の側板本体と、該側板本体と同じ高さの板状の起立片部とが互いに直交するように連続する断面Ｌ字状の１対のＬ型側板と、
上記Ｌ型側板と同じ高さを有する１対の中仕切り板と、
互いに同じ左右長さ及び前後幅を有する複数の棚板とを備え、
上記両自立用ボックスは、収納棚の左右両側部において前後方向にずれて配置されており、
上記一方のＬ型側板は下端部において一方の自立用ボックスに対し、Ｌ型側板の側板本体が収納棚の左右一側部に位置しかつ起立片部が収納棚の前後一側部に位置した状態で、自立用ボックスの一方の側壁に締結具により取り外し可能に締結されて起立状態で固定され、
上記他方のＬ型側板は下端部において他方の自立用ボックスに対し、Ｌ型側板の側板本体が収納棚の左右他側部に位置しかつ起立片部が収納棚の前後他側部に位置した状態で、自立用ボックスの一方の側壁に締結具により取り外し可能に締結されて起立状態で固定され、
上記一方の中仕切り板は下端部において上記一方の自立用ボックスに対し、該自立用ボックスの他方の側壁に締結具により取り外し可能に締結されて起立状態で固定され、
上記他方の中仕切り板は下端部において上記他方の自立用ボックスに対し、一方の中仕切り板に前後方向に並んだ状態で該自立用ボックスの他方の側壁に締結具により取り外し可能に締結されて起立状態で固定され、
上記起立状態の両Ｌ型側板の側板本体と両中仕切り板との間に棚板が架け渡されて取り外し可能に固定されていることを特徴とする収納棚。
【請求項２】
請求項１において、
Ｌ型側板は、側板本体及び起立片部において自立用ボックスの側壁に固定されていることを特徴とする収納棚。
【請求項３】
請求項１又は２において、
Ｌ型側板の側板本体の前後方向の幅は棚板の左右方向の長さと同じであり、
Ｌ型側板の起立片部の左右方向の幅と中仕切り板の前後方向の幅とは棚板の前後方向の幅と同じであることを特徴とする収納棚。
【請求項４】
請求項１〜３のいずれか１つの収納棚から組換えによって設置される収納棚であって、
各Ｌ型側板は下端部において各自立用ボックスに対し、Ｌ型側板の側板本体が収納棚の後側部に位置しかつ起立片部が収納棚の左右一側部に位置した状態で、該起立片部が自立用ボックスの一方の側壁に締結具により取り外し可能に締結されて起立状態で固定され、
各中仕切り板は下端部において上記各自立用ボックスに対し、収納棚の左右他側部に位置した状態で、自立用ボックスの他方の側壁に締結具により取り外し可能に締結されて起立状態で固定され、
上記Ｌ型側板の起立片部と中仕切り板との間に棚板が架け渡されて取り外し可能に固定されていることを特徴とする収納棚。
【請求項５】
請求項１〜３のいずれか１つの収納棚の自立用ボックス、Ｌ型側板、中仕切り板及び棚板が組み立て前に分解された状態でまとめられていることを特徴とする収納棚セット。
【発明の詳細な説明】
【技術分野】
【０００１】
本発明は、収納棚及び収納棚セットに関するものである。
【背景技術】
【０００２】
従来、室内に設置される収納棚として、例えば特許文献１に示されるように、上下の天板及び底板と左右の側板とを矩形枠状に組み立て、それらの側板間に上下方向の仕切り板を配置し、側板と仕切り板との間に左右水平方向の棚板を架け渡すことで、天板や棚板の上に物を載置できるようにしたものは一般によく知られている。
【先行技術文献】
【特許文献】
【０００３】
【特許文献１】特開２００４−２２３２２７号公報
【発明の概要】
【発明が解決しようとする課題】
【０００４】
ところで、この従来の収納棚を、居室をはじめとする屋内で組み立てて設置する場合、その収納棚を室内の床上に寝かせた状態で組み立てて完成させ、完成後に本来の用途に対応する起立状態に自立させるようになっている。そのため、起立状態にある収納棚の設置スペースが本来は小さいにも拘わらず、その組み立てのための広いスペースが必要となる。しかも、組み立て後に起立させる作業が必要であるので、その作業に複数の作業者を要し、設置に手間が掛かるという難がある。特に、収納棚の高さが高くなれば、顕著となる。
【０００５】
また、このように完成した収納棚を使用目的に応じて設置当初の構造から変更しようとしても、その変更は大掛かりな作業や工事になる。このことから、例えば賃貸用の住居等においては、入居者のライフスタイルに合わせた対応が柔軟にできないという問題が生じる。
【０００６】
本発明は斯かる諸点に鑑みてなされたもので、その目的は、収納棚の構造に工夫を加えることにより、その収納棚を広いスペースを要することなく組み立てて完成できるようにし、組み立て後の起立作業を不要化するとともに、収納棚の構造を必要に応じて容易に変更できるようにして、その変更の容易化を図ることにある。
【課題を解決するための手段】
【０００７】
上記の目的を達成するために、この発明では、完成後に収納棚の一部になる自立用のボックスを設け、その自立用ボックスに断面Ｌ字状の側板や中仕切り板を取り外し可能に固定して自立させ、それら側板や中仕切り板に棚板を架け渡して収納棚とするようにした。
【０００８】
具体的には、第１の発明は、上下に間隔をあけて対向する矩形状板材が、各々の対角線方向に対向する両角部において断面Ｌ字状の側壁により一体的に連結された１対の自立用ボックスと、板状の側板本体、及び該側板本体と同じ高さの板状の起立片部が互いに直交するように連続する断面Ｌ字状の１対のＬ型側板と、これらＬ型側板と同じ高さを有する１対の中仕切り板と、互いに同じ左右長さ及び前後幅を有する複数の棚板とを備え、上記両自立用ボックスは、収納棚の左右両側部において前後方向にずれて配置されている。
【０００９】
そして、上記一方のＬ型側板は下端部において一方の自立用ボックスに対し、Ｌ型側板の側板本体が収納棚の左右一側部に位置しかつ起立片部が収納棚の前後一側部に位置した状態で、自立用ボックスの一方の側壁に締結具により取り外し可能に締結されて起立状態で固定されている。
【００１０】
また、上記他方のＬ型側板は下端部において他方の自立用ボックスに対し、Ｌ型側板の側板本体が収納棚の左右他側部に位置しかつ起立片部が収納棚の前後他側部に位置した状態で、自立用ボックスの一方の側壁に締結具により取り外し可能に締結されて起立状態で固定されている。
【００１１】
さらに、上記一方の中仕切り板は下端部において上記一方の自立用ボックスに対し、該自立用ボックスの他方の側壁に締結具により取り外し可能に締結されて起立状態で固定され、上記他方の中仕切り板は下端部において上記他方の自立用ボックスに対し、一方の中仕切り板に前後方向に並んだ状態で該自立用ボックスの他方の側壁に締結具により取り外し可能に締結されて起立状態で固定されている。
【００１２】
そして、上記起立状態の両Ｌ型側板の側板本体と両中仕切り板との間に棚板が架け渡されて取り外し可能に固定されていることを特徴とする。
【００１３】
この第１の発明では、収納棚を組み立てて設置する場合、例えば、まず、一方のＬ型側板を起立状態にして一方の自立用ボックスの側方に配置し、そのＬ型側板の側板本体及び起立片部の各下端部を自立用ボックスの一方の側壁に締結具により締結することで、Ｌ型側板を自立用ボックスに固定して起立状態で自立させる。
【００１４】
一方、他方のＬ型側板については、そのＬ型側板を起立状態にして他方の自立用ボックスの側方に配置し、そのＬ型側板の側板本体及び起立片部の各下端部を自立用ボックスの一方の側壁に締結具により締結することで、Ｌ型側板を自立用ボックスに固定して起立状態で自立させる。
【００１５】
そして、このように一方の側壁に一方のＬ型側板が前後に並んで固定された一方の自立用ボックスと、同様に一方の側壁に他方のＬ型側板が前後に並んで固定された他方の自立用ボックスとを前後にずれた状態で左右に対向するように並べ、そのとき、各々に固定されたＬ型側板を、相対向する自立用ボックスから離れた側に配置する。このことで、両自立用ボックスにそれぞれに固定されたＬ型側板は左右方向に対向した状態で起立する。
【００１６】
この後、両自立用ボックスの間に両中仕切り板を前後方向に並んだ状態で起立させて配置し、一方の中仕切り板の下端部を一方の自立用ボックスの他方の側壁に締結具により締結して起立状態で自立させ、他方の中仕切り板の下端部を他方の自立用ボックスの他方の側壁に締結具により締結して起立状態で自立させる。この状態では、自立用ボックスの両側に両Ｌ型側板と両中仕切り板とが起立した状態となる。
【００１７】
最後に、棚板を上記起立状態のＬ型側板の側板本体と両中仕切り板との間に架け渡して取り外し可能に固定すればよい。
【００１８】
このように、収納棚の下部に配置される１対の自立用ボックスに対しそれぞれ両Ｌ型側板と両中仕切り板とを起立させて固定し、このＬ型側板と中仕切り板との間に棚板を架け渡すので、収納棚を完成後の使用状態に対応した自立状態で組み立てて設置することができ、組み立てのための広いスペースが不要で設置スペースさえあればよく、狭いスペースでもスムーズに設置することができる。また、収納棚は自立状態で組み立てられるので、その組み立て後に起立させる作業も要らず、高い収納棚であっても少ない作業者で設置できて手間を低減することができる。
【００１９】
そして、上記両自立用ボックスに対して両Ｌ型側板と両中仕切り板とは締結具により取り外し可能に締結されているので、収納棚を使用目的に応じて設置当初の構造から変更するときには、この締結具による締結を解除して両Ｌ型側板と両中仕切り板とを自立用ボックスから取り外し、その自立用ボックスに対しＬ型側板や中仕切り板を異なる態様で取り付ければよく、容易に変更することができる。
【００２０】
第２の発明は、第１の発明において、Ｌ型側板は、側板本体及び起立片部において自立用ボックスの側壁に固定されていることを特徴とする。
【００２１】
この第２の発明では、Ｌ型側板は、側板本体だけでなく起立片部においても自立用ボックスの側壁に固定されているので、Ｌ型側板が自立用ボックスに強固に固定され、収納棚の自立安定性を高めることができる。
【００２２】
第３の発明は、第１又は第２の発明において、Ｌ型側板の側板本体の前後方向の幅は棚板の左右方向の長さと同じであり、Ｌ型側板の起立片部の左右方向の幅と中仕切り板の前後方向の幅とは棚板の前後方向の幅と同じであることを特徴とする。
【００２３】
この第３の発明では、Ｌ型側板の側板本体の前後方向の幅が棚板の左右方向の長さと同じであり、Ｌ型側板の起立片部の左右方向の幅及び中仕切り板の前後方向の幅はいずれも棚板の前後方向の幅と同じであるので、収納棚を設置当初の構造から変更するに当たり、Ｌ型側板と中仕切り板と棚板との組み合わせにより新たな収納棚を設置するときに、Ｌ型側板の起立片部及び中仕切り板とそれらの間に架け渡される棚板との奥行きが互いに一致して棚板がＬ型側板の起立片部及び中仕切り板から突出しないようになり、見映えの良い収納棚を設置することができる。
【００２４】
第４の発明は、第１〜第３の発明のいずれか１つの収納棚から組換えによって設置される収納棚であって、各Ｌ型側板は下端部において各自立用ボックスに対し、Ｌ型側板の側板本体が収納棚の後側部に位置しかつ起立片部が収納棚の左右一側部に位置した状態で、該起立片部が自立用ボックスの一方の側壁に締結具により取り外し可能に締結されて起立状態で固定され、各中仕切り板は下端部において上記各自立用ボックスに対し、収納棚の左右他側部に位置した状態で、自立用ボックスの他方の側壁に締結具により取り外し可能に締結されて起立状態で固定され、上記Ｌ型側板の起立片部と中仕切り板との間に棚板が架け渡されて取り外し可能に固定されていることを特徴とする。
【００２５】
この第４の発明では、上記の収納棚から組換えによって別の新たな収納棚を設置する場合、各自立用ボックスの左右両側及び後側部に各Ｌ型側板及び各中仕切り板をそのＬ型側板の側板本体が収納棚の後側部に位置しかつ起立片部と中仕切り板とがそれぞれ収納棚の左右両側部に位置するように起立状態に配置し、そのＬ型側板の起立片部の下端部を自立用ボックスの一方の側壁に、また中仕切り板の下端部を自立用ボックスの他方の側壁にそれぞれ締結具により締結し、Ｌ型側板の起立片部と中仕切り板との間に棚板を架け渡して固定すればよい。このことで、各自立用ボックス、各Ｌ型側板、各中仕切り板及び棚板を用いて、新たな収納棚を設置することができる。この場合も、新たな収納棚は自立状態で設置することができる。
【００２６】
第５の発明は収納棚セットであり、この収納棚セットは、第１〜第３の発明のいずれか１つの収納棚の自立用ボックス、Ｌ型側板、中仕切り板及び棚板が組み立て前に分解された状態でまとめられていることを特徴とする。
【００２７】
この第５の発明では、第１〜第３の発明の収納棚を設置するために必要な部材が揃った収納棚セットが容易に得られる。
【発明の効果】
【００２８】
以上説明した如く、本発明によると、収納棚として、両Ｌ型側板を左右に対向するように起立状態に配置して、そのＬ型側板の下端部をそれぞれ２つの自立用ボックスに取り外し可能に固定し、両自立用ボックス間に１対の中仕切り板の下端部を取り外し可能に固定し、Ｌ型側板及び中仕切り板の間に棚板を架け渡したことにより、収納棚を完成後の使用状態に対応した自立状態で組み立てて設置することができ、狭いスペースでもスムーズに設置することができるとともに、収納棚の組み立て後に起立させる作業が不要で、高い収納棚であっても少ない作業者で設置でき、設置作業の手間を低減することができる。さらに、締結具による締結を解除してＬ型側板と中仕切り板とを自立用ボックスから取り外し、その自立用ボックスに対しＬ型側板や中仕切り板を異なる態様で取り付けることができ、収納棚を使用目的に応じて設置当初の構造から容易に変更することができる。
【図面の簡単な説明】
【００２９】
【図１】図１は、本発明の実施形態に係る収納棚の斜視図である。
【図２】図２は、収納棚の平面図である。
【図３】図３は、収納棚の正面図である。
【図４】図４は、収納棚の側面図である。
【図５】図５は、２つの自立用ボックスに対するＬ型側板及び中仕切り板の取付構造を、棚板と自立用ボックスの上側の板材とを取り外した状態で示す拡大平面図である。
【図６】図６は、自立用ボックスの斜視図である。
【図７】図７は、Ｌ型側板の斜視図である。
【図８】図８は、中仕切り板の斜視図である。
【図９】図９は、組換えによって新たに設置される収納棚を示す平面図である。
【発明を実施するための形態】
【００３０】
以下、本発明の実施形態を図面に基づいて詳細に説明する。以下の実施形態の説明は、本質的に例示に過ぎず、本発明、その適用物或いはその用途を制限することを意図するものでは全くない。
【００３１】
図１〜図４は本発明の実施形態に係る収納棚Ｆを示す。この収納棚Ｆは前後に開放されたものであり、室内において床面上に自立状態に設置されて主として間仕切り等の用途に用いられる一方、必要に応じて各部材が組み換えられて、壁面に設置される背板部を有する２つの収納棚Ｆ１，Ｆ１（図９参照）としても使用できるようになっている。尚、これらの収納棚Ｆ，Ｆ１において、「前」とは手前側を、また後側とは奥側をそれぞれ表し、「左」とは手前側から見て左側を、また「右」とは同様に手前側から見て右側をそれぞれ表すものとする。
【００３２】
収納棚Ｆは、１対の自立用ボックス１，１と、１対のＬ型側板１１，１１と、１対の中仕切り板２１，２１と、複数枚の棚板３１，３１，…とを備え、これらは例えば木質材料等により構成されている。
【００３３】
（自立用ボックス）
２つの自立用ボックス１，１は大きさや構造が互いに同じである。これらの自立用ボックス１，１は収納棚Ｆの下部の左右両側に配置される。図６に示すように、各自立用ボックス１は、上下に間隔をあけて対向する同じ大きさの矩形状の板材３，３と、両板材３，３同士を各々の対角線方向に対向する両角部において一体的に連結する１対の側壁４，４とからなっている。各側壁４は断面Ｌ字状のもので、板材３の角部に対応するように配置されている。下側の板材３は収納棚Ｆの底板の一部を構成し、上側の板材３は収納棚Ｆの下から２段目の棚板の一部を構成するようになっている。自立用ボックス１の板材３の左右方向の長さはいずれも棚板３１の同長さと同じであり、その板材３の前後方向の幅（例えば３９０ｍｍ）は棚板３１の同幅（例えば３００ｍｍ）よりも大きくなっている。
【００３４】
各自立用ボックス１における２つの側壁４，４の所定位置には、予め、締結具としてのビスＶ（ボルト）（図５参照）を挿通させるための複数のビス挿通孔５，５，…が貫通形成されている。
【００３５】
そして、図５に示すように、両自立用ボックス１，１は、室内の床面上において収納棚Ｆの左右両側部に相当する位置に前後方向にずれて配置され、一方の自立用ボックス１は収納棚Ｆの前側から見て右側の前部に、また他方の自立用ボックス１は収納棚Ｆの前側から見て左側の後部にそれぞれ位置している。
【００３６】
尚、各自立用ボックス１は、上下の板材３，３と２つの側壁４，４とに分解されたものとし、さらには各側壁４についても断面Ｌ字状をなす２枚の板材に分解されたものとしておいて、これらを施工現場で組み立てるようにしておいてもよく、運搬や施工現場への持ち込みが容易となる。
【００３７】
（Ｌ型側板）
両Ｌ型側板１１，１１はそれぞれ収納棚Ｆの左右両側に起立状態で配置されるものである。両Ｌ型側板１１，１１についても大きさや構造が互いに同じである。図７に示すように、各Ｌ型側板１１は、所定の高さ（例えば１４００ｍｍ）を有する縦長の矩形板状の側板本体１３と、この側板本体１３と同じ高さの縦長の細長い板状の起立片部１４とからなり、側板本体１３及び起立片部１４は各々の長辺部で側板本体１３の長辺部木口面が起立片部１４の表面に当接した状態で互いに直交するように一体的に連結されており、このことでＬ型側板１１は断面Ｌ字状となっている。第１Ｌ型側板１１の側板本体１３の前後方向の幅（例えば６００ｍｍ）は起立片部１４の左右方向の幅（例えば３００ｍｍ）よりも大きく、側板本体１３及び起立片部１４の厚さは互いに同じである（例えば２０．５ｍｍ）。
【００３８】
このＬ型側板１１における側板本体１３及び起立片部１４の各下部には、予め複数の埋込ナットＮ，Ｎ，…が上記自立用ボックス１の側壁４における各ビス挿通孔５の位置に対応して埋め込まれており、ビス挿通孔５を自立用ボックス１の内側から挿通するビスＶが埋込ナットＮに螺合締結されることにより、Ｌ型側板１１が自立用ボックス１の側壁４に固定されるようになっている。上記埋込ナットＮは、例えば（株）ムラコシ精工の商品名「鬼目ナット」（登録商標）等が用いられる。
【００３９】
また、各Ｌ型側板１１，１２の側板本体１３及び起立片部１４には、棚板３１を支持する部分に、予め複数のダボ穴１６，１６，…が、他のＬ型側板１１との間及び中仕切り板２１との間で高さ位置を一致させて形成されている。
【００４０】
この各Ｌ型側板１１の側板本体１３の前後方向の幅（例えば６００ｍｍ）は、上記自立用ボックス１よりも大に設定されている。
【００４１】
尚、Ｌ型側板１１，１２は、設置現場において板状の側板本体１３及び起立片部１４が互いに直交するように連結されて断面Ｌ字状に組み立てられるものとしてもよい。
【００４２】
（中仕切り板）
２枚の中仕切り板２１，２１は収納棚Ｆの左右中央に起立状態で配置されるもので、両中仕切り板２１，２１が前後に並んで１枚の中仕切り板を形成するようになっている。両中仕切り板２１，２１は互いに大きさが同じである。すなわち、図８に示すように、各中仕切り板２１は、Ｌ型側板１１と同じ高さ（例えば１４００ｍｍ）を有する縦長の細長い板材で、その前後方向の幅はＬ型側板１１の側板本体１３の同幅の１／２（例えば３００ｍｍ）とされている。
【００４３】
この各中仕切り板２１の下部には予め複数の埋込ナットＮ，Ｎ，…が上記自立用ボックス１の側壁４のビス挿通孔５の位置に対応して埋め込まれており、ビス挿通孔５を自立用ボックス１内側から挿通するビスＶが埋込ナットＮに螺合締結されることにより、両中仕切り板２１，２１が自立用ボックス１の側壁４に固定されるようになっている。この埋込ナットＮも、Ｌ型側板１１の側板本体１３に埋め込まれているものと同じである。
【００４４】
また、各中仕切り板２１には、棚板３１，３１を支持する部分に予め複数のダボ穴１６，１６，…がＬ型側板１１との間で高さ位置を一致させて形成されている。
【００４５】
（棚板）
各棚板３１についても大きさや構造が互いに同じである。各棚板３１は左右方向に延びる横長の細長い板材からなり、その左右方向の長さ（例えば５６７．７５ｍｍ）はＬ型側板１１の側板本体１３の前後方向の幅と同じであり、棚板３１の前後方向の幅は、Ｌ型側板１１の起立片部１４の左右方向の幅及び中仕切り板２１の前後方向の幅と同じである。
【００４６】
そして、図１〜図５に示すように、上記２つのＬ型側板１１，１１のうち、左側（図３及び図５で左側）のＬ型側板１１は、収納棚Ｆの左側後部に起立状態に配置されて、下端部が左側の自立用ボックス１に固定されている。具体的には、この左側のＬ型側板１１の側板本体１３は収納棚Ｆの左側部に、また起立片部１４は収納棚Ｆの後部にそれぞれ位置していて、これらの下端部が自立用ボックス１の断面Ｌ字状の左側壁４に沿って該側壁４に当接するように配置されている。この状態で、自立用ボックス１の左側壁４における複数のビス挿通孔５，５，…にボックス１内側からビスＶが挿通され、このビスＶがそれぞれＬ型側板１１の側板本体１３及び起立片部１４の複数の埋込ナットＮ，Ｎ，…に取り外し可能に螺合締結されている。このことにより、左側のＬ型側板１１は、側板本体１３及び起立片部１４の下端部において自立用ボックス１の左側壁４に起立状態で固定されている。
【００４７】
一方、右側（図３及び図５で右側）のＬ型側板１１は収納棚Ｆの右側部に起立状態に配置されて、下端部が右側の自立用ボックス１に固定されている。具体的には、この右側のＬ型側板１１の側板本体１３は収納棚Ｆの右側部に、また起立片部１４は収納棚Ｆの前部にそれぞれ位置していて、これらの下端部が自立用ボックス１の断面Ｌ字状の右側壁４に沿って該側壁４に当接するように配置されている。この状態で、自立用ボックス１の右側壁４における複数のビス挿通孔５，５，…にボックス１内側からビスＶが挿通され、このビスＶがそれぞれＬ型側板１１の側板本体１３及び起立片部１４の複数の埋込ナットＮ，Ｎ，…に取り外し可能に螺合締結されている。このことにより、右側のＬ型側板１１は側板本体１３及び起立片部１４の下端部において自立用ボックス１の右側壁４に起立状態で固定されている。
【００４８】
そして、両Ｌ型側板１１，１１同士は互いに左右に対向するように起立状に配置され、両自立用ボックス１，１は前後にずれており、その状態で、両自立用ボックス１，１の間に両中仕切り板２１，２１が起立して配置されている。一方の中仕切り板２１は前側に、また他方の中仕切り板２１は後側にそれぞれ配置され、両中仕切り板２１，２１は１枚の連続した中仕切り板となるように前後方向に並んでいる。この状態で、左側の自立用ボックス１の右側壁４における複数のビス挿通孔５，５，…にボックス１内側からビスＶが挿通され、このビスＶがそれぞれ前側の中仕切り板２１の複数の埋込ナットＮ，Ｎ，…に取り外し可能に螺合締結されている。また、右側の自立用ボックス１の左側壁４における複数のビス挿通孔５，５，…にボックス１内側からビスＶが挿通され、このビスＶがそれぞれ後側の中仕切り板２１の複数の埋込ナットＮ，Ｎ，…に取り外し可能に螺合締結されている。このことにより、前側の中仕切り板２１が下端部において左側の自立用ボックス１に対しその右側壁４にて、また後側の中仕切り板２１が下端部において右側の自立用ボックス１に対しその左側壁にて４それぞれ起立状態で固定されている。
【００４９】
また、上記起立状態の左側のＬ型側板１１の側板本体１３と中央の両中仕切り板２１，２１との間に高さの異なる多段の左側の棚板３１，３１，…が架け渡され、同様に、右側のＬ型側板１１の側板本体１３と中央の両中仕切り板２１，２１との間にも高さの異なる多段の右側の棚板３１，３１，…が架け渡されている。各段の高さの棚板３１，３１は１枚の棚板となるように前後に突き合わされて状態で架け渡されている。各棚板３１の左右端部は、Ｌ型側板１１及び中仕切り板２１に対し、Ｌ型側板１１及び中仕切り板２１のダボ穴に螺合等により固定された連結用ダボ（図示せず）によって取り外し可能に一体的に固定されている。この連結用ダボとしては、木製や金属製を含む一般的なものを使用することができ、棚板３１，３２の左右両端部をＬ型側板１１，１２及び中仕切り板２１，２２に対し取り外し可能に連結するものであればよい。
【００５０】
このとき、左側に位置する各段の高さの幅の前後２枚の棚板３１，３１は、いずれも左端部が同じ左側のＬ型側板１１の側板本体１３に連結されて固定され、これら棚板３１，３１の右端部はそれぞれ前後の中仕切り板２１，２１に連結されて固定されている。右側に位置する各段の高さの幅の前後２枚の棚板３１，３１にあっては、いずれも右端部が同じ右側のＬ型側板１１の側板本体１３に連結されて固定され、両棚板３１，３１の左端部はそれぞれ前後の中仕切り板２１，２１に連結されて固定されている。
【００５１】
以上の構造により収納棚Ｆが構成されている。そして、上記両自立用ボックス１，１、両Ｌ型側板１１，１１、両中仕切り板２１，２１、及び複数枚の棚板３１，３１，…は、施工現場に持ち込まれて組み立てられる前に分解された状態でまとめられた収納棚セットとして梱包されている。尚、各自立用ボックス１を上下の板材３，３と２つの側壁４，４とに分解して梱包するようにしてもよい。また、この各側壁４についても断面Ｌ字状をなす２枚の板材に分けて梱包するようにしてもよい。
【００５２】
次に、上記収納棚Ｆを設置する場合の組み立て手順について説明する。この手順は例示であり、他の組み立て手順であってもよい。
【００５３】
収納棚Ｆを組み立てて設置する場合、施工現場に収納棚セットを持ち込み、その梱包を解いて２つの自立用ボックス１，１、２枚のＬ型側板１１，１１、２枚の中仕切り板２１，２１、及び複数枚の棚板３１，３１，…を取り出す。尚、自立用ボックス１が分解されているときには、上下の板材３，３同士を断面Ｌ字状の１対の側壁４，４により連結してボックス状に組み立て、側壁４が２枚の板材に分けられているときにはそれらを断面Ｌ字状に接合する。また、Ｌ型側板１１が側板本体１３と起立片部１４とに分解されているときには、それらを連結して断面Ｌ字状に組み立てる。
【００５４】
まず、左側のＬ型側板１１を起立状態にして左側の自立用ボックス１の左側に配置し、そのＬ型側板１１の側板本体１３及び起立片部１４の各下端部を自立用ボックス１の左側壁４にビスＶにより締結する。このビスＶは、自立用ボックス１の内側から左側壁４における複数のビス挿通孔５，５，…に挿通した後、Ｌ型側板１１の側板本体１３及び起立片部１４の複数の埋込ナットＮ，Ｎ，…に螺合して締結する。このことで、Ｌ型側板１１を自立用ボックス１に固定して起立状態で自立させる。
【００５５】
一方、右側のＬ型側板１１については、そのＬ型側板１１を起立状態にして右側の自立用ボックス１の右側に配置し、そのＬ型側板１１の側板本体１３及び起立片部１４の各下端部を自立用ボックス１の右側壁４にビスＶにより締結する。すなわち、このビスＶを、自立用ボックス１の内側から右側壁４における複数のビス挿通孔５，５，…に挿通した後、Ｌ型側板１１の側板本体１３及び起立片部１４の複数の埋込ナットＮ，Ｎ，…に螺合して締結する。このことで、Ｌ型側板１１を自立用ボックス１に固定して起立状態で自立させる。
【００５６】
そして、このように左側壁４に左側のＬ型側板１１が固定された左側の自立用ボックス１と、同様に右側壁４に右側のＬ型側板１１が固定された右側の自立用ボックス１とを前者が後者よりも後側に位置するように前後にずれた状態で左右に対向するように並べ、各々に固定されたＬ型側板１１，１１を、相対向する自立用ボックス１から離れた側に配置する。このことで、右側の自立用ボックス１に固定された右側のＬ型側板１１と、左側の自立用ボックス１に固定された左側のＬ型側板１１とは各々の側板本体１３，１３が互いに左右方向に対向した状態で起立する。
【００５７】
この後、両自立用ボックス１，１の間に両中仕切り板２１，２１を前後方向に並んだ状態で起立させて配置し、左側の自立用ボックス１の右側壁４における複数のビス挿通孔５，５，…にボックス１内側からビスＶを挿通して、このビスＶをそれぞれ前側の中仕切り板２１の複数の埋込ナットＮ，Ｎ，…に螺合締結する。また、右側の自立用ボックス１の左側壁４における複数のビス挿通孔５，５，…にボックス１内側からビスＶを挿通して、このビスＶをそれぞれ後側の中仕切り板２１の複数の埋込ナットＮ，Ｎ，…に螺合締結する。このことで、前側の中仕切り板２１を下端部において左側の自立用ボックス１にその右側壁４にて、また後側の中仕切り板２１を下端部において右側の自立用ボックス１にその左側壁４にてそれぞれ起立状態で固定する。このようにして、自立用ボックス１，１の両側に左右のＬ型側板１１，１１と中央の両中仕切り板２１，２１とが起立した状態となる。
【００５８】
最後に、２枚の棚板３１，３１を前後に突き合わせた状態で並べて１枚の棚板とし、このように並べられた複数枚の棚板を、自立用ボックス１，１の上側において上記起立状態の左右のＬ型側板１１，１２の側板本体１３，１３と中央の両中仕切り板２１，２１との間に高さが異なるように配置し、各段の高さの棚板３１，３１を、各Ｌ型側板１１の側板本体１３及び起立片部１４と各中仕切り板２１とに連結用ダボにより連結固定すればよい。そのとき、各棚板３１はＬ型側板１１の側板本体１３及び起立片部１４と中仕切り板２１とに対し取り外し可能に固定する。また、自立用ボックス１の下側の板材３は最下段の棚板の一部となり、上側の板材は下から２番目の棚板の一部（残りの部分は上側の板材３と同じ高さの棚板３１であってもよい）となる。尚、例えば最上段以外の段の棚板３１，３１は高さ位置を変更可能な可動棚とすることもできる。
【００５９】
したがって、この実施形態においては、収納棚Ｆの下部に配置される左右の自立用ボックス１，１に対し、左側のＬ型側板１１と右側のＬ型側板１１と左右中央の両中仕切り板２１，２１とを起立させて固定し、このＬ型側板１１，１１と中仕切り板２１，２１との間に棚板３１，３１を多段に架け渡すので、収納棚Ｆを完成後の使用状態に対応した自立状態で組み立てて設置することができ、組み立てのための広いスペースが不要で設置スペースさえあればよく、狭いスペースでもスムーズに設置することができる。また、収納棚Ｆは最初から自立状態で組み立てられるので、その組み立て後に起立させる作業も要らず、高い収納棚Ｆであっても少ない作業者で設置できて手間を低減することができる。
【００６０】
さらに、Ｌ型側板１１及び中仕切り板２１の各下部の所定位置に前もって埋込ナットＮ，Ｎ，…が設けられ、各自立用ボックス１の側壁４に予めビス挿通孔５，５，…が形成されているので、ビス挿通孔５にビスＶを挿通して埋込ナットＮに螺合締結するだけで、自立用ボックス１にＬ型側板１１及び中仕切り板２１を連結して固定することができ、その組付作業が容易になって施工性を高めることができる。
【００６１】
また、Ｌ型側板１１は側板本体１３と起立片部１４が直交する断面Ｌ字状のものであり、両Ｌ型側板１１，１１が収納棚Ｆの左右両側に配置されているので、収納棚Ｆの特に左右方向の自立安定性を高めることができる。
【００６２】
また、自立用ボックス１は、矩形状の板材３，３同士を各々の対角線方向に対向する両角部において断面Ｌ字状の１対の側壁４，４により一体的に連結したものであるので、この自立用ボックス１にＬ型側板１１や中仕切り板２１を起立状態で固定したときに、それらの起立状態が不安定になることはなく、組み立て作業をスムーズに進めることができる。
【００６３】
さらに、Ｌ型側板１１の側板本体１３に各段の高さの前後の棚板３１，３１の端部が架け渡されて固定されているので、その側板本体１３が両棚板３１，３１同士を連結することとなり、収納棚Ｆの前後方向の自立安定性をより一層確保することができる。
【００６４】
そして、上記各自立用ボックス１に対してＬ型側板１１と中仕切り板２１，２１とはビスＶにより取り外し可能に締結されているので、収納棚Ｆを使用目的に応じて設置当初の構造から変更して新たな収納棚Ｆ１を設置するときには、このビスＶによる締結を解除してＬ型側板１１，１１と両中仕切り板２１，２１とを自立用ボックス１，１から取り外し、その各自立用ボックス１に対しＬ型側板１１や中仕切り板２１を異なる態様で取り付ければよく、容易に変更することができる。
【００６５】
この収納棚Ｆから変更される新たな収納棚Ｆ１は２つであり、それら両収納棚Ｆ１，Ｆ１は互いに同じもので、上記収納棚Ｆの部材をそのまま使用して設置される。
【００６６】
図９はこの新たな収納棚Ｆ１を示し、この収納棚Ｆ１は、各自立用ボックス１、各Ｌ型側板１１、各中仕切り板２１及び複数枚の棚板３１，３１，…を組み合わせたものである。すなわち、図９に示すように、各Ｌ型側板１１は、その下端部において自立用ボックス１に対し、Ｌ型側板１１の側板本体１３が収納棚Ｆ１の後側部に位置しかつ起立片部１４が収納棚Ｆ１の左右一側部に位置した状態で、該側板本体１３及び起立片部１４が自立用ボックス１の一方の側壁４にビスＶ（締結具）により取り外し可能に締結されて起立状態で固定されている。このとき、変更前の収納棚Ｆと比較すると、その収納棚Ｆにおける左側のＬ型側板１１にあっては平面視で時計回り方向に９０°だけ、また右側のＬ型側板１１にあっては同反時計回り方向に９０°だけそれぞれ回動した状態となり、このことでＬ型側板１１，１１の各々の側板本体１３が収納棚Ｆ１の後側部に位置し、起立片部１４が収納棚Ｆ１の左右一側部に位置した状態となる。
【００６７】
また、各中仕切り板２１は、その下端部において自立用ボックス１に対し、自立用ボックス１の他方の側壁４にビスＶ（締結具）により取り外し可能に締結されて起立状態で固定されている。
【００６８】
このような配置では、各収納棚Ｆ１の左右両側にＬ型側板１１の起立片部１４と中仕切り板２１とが対向して起立し、後側部にＬ型側板１１の側板本体１３が起立した状態となり、この側板本体１３は、収納棚Ｆ１の背板部を構成するようになる。
【００６９】
そして、上記Ｌ型側板１１の起立片部１４と中仕切り板２１との間に複数枚の棚板３１，３１，…が高さを変えた状態で多段に架け渡されて連結用ダボにより取り外し可能に連結固定されている。
【００７０】
尚、各収納棚Ｆ１においては、自立用ボックス１の前端部は、Ｌ型側板１１の起立片部１４、中仕切り板２１及び各棚板３１よりも前側に突出している。このことで、収納棚Ｆ１の設置面積が自立用ボックス１により大きくなり、安定した設置となる。
【００７１】
この新たな２つの収納棚Ｆ１，Ｆ１は、いずれもＬ型側板１１の側板本体１３を背板部にして前側に開放されたものであり、その背板部（側板本体１３）を室内の壁面に向けて設置されて書棚等として使用できるようになっている。
【００７２】
このとき、Ｌ型側板１１の側板本体１３の前後方向の幅は棚板３１の左右方向の長さと同じであり、Ｌ型側板１１の起立片部１４の左右方向の幅と中仕切り板２１の前後方向の幅とは棚板３１の前後方向の幅と同じであるので、各Ｌ型側板１１と棚板３１との組み合わせにより収納棚Ｆ１を設置するときに、Ｌ型側板１１の起立片部１４及び中仕切り板２１と、それらの間に架け渡される棚板３１との奥行きが互いに一致して棚板３１がＬ型側板１１の起立片部１４及び中仕切り板２１から突出しないようになり、見映えの良い収納棚Ｆ１を設置することができる。
【００７３】
こうすることで、同じ部材を用いながら、間仕切りタイプの収納棚Ｆと、書棚タイプの２つの収納棚Ｆ１，Ｆ１とに切り換えて変更でき、使用者の好みや生活スタイルに合わせた使い方を選択することができる。特に、例えば賃貸用の住宅であれば、入居者毎に間仕切りタイプの収納棚Ｆと書棚タイプの収納棚Ｆ１，Ｆ１とを物件の間取り等に応じて切り換えることができる。
【００７４】
（その他の実施形態）
尚、上記実施形態では、収納棚Ｆにおいて、２枚の棚板３１，３１を前後に突き合わせて同じ高さの１枚の棚板に配置しているが、両棚板３１，３１を高さの異なる段違いの棚板になるように配置することもできる。
【産業上の利用可能性】
【００７５】
本発明は、収納棚を自立状態で組み立てて設置できるとともに、収納棚を使用目的に応じて設置当初の構造から容易に変更できるので、極めて有用であり、産業上の利用可能性が高い。
【符号の説明】
【００７６】
Ｆ，Ｆ１  収納棚
Ｎ  埋込ナット
Ｖ  ビス（締結具）
１  自立用ボックス
３  板材
４  側壁
５  ビス挿通孔
１１  Ｌ型側板
１３  側板本体
１４  起立片部
１６  ダボ穴
２１  中仕切り板
３１  棚板
【図１】
2018051266.tif 000003
【図２】
2018051266.tif 000004
【図３】
2018051266.tif 000005
【図４】
2018051266.tif 000006
【図５】
2018051266.tif 000007
【図６】
2018051266.tif 000008
【図７】
2018051266.tif 000009
【図８】
2018051266.tif 000010
【図９】
2018051266.tif 000011